(57)【要約】      （修正有）【課題】使用者より高い位置の清掃においても、洗剤や汚濁水が滴下しないスポンジモップを提供する。【解決手段】ベースプレート３の保持板３ｄからスポンジパッド４の周縁部４ｃに沿った壁部３ｃを全周に立設する、又は、市販のスポンジモップに上記壁部を全周に有する滴下防止プレートを着脱自在に装着する。同構造とすることで、天井清掃時にスポンジパッド４に浸透する汚濁水の滴下防止が可能となり、従来の床面、壁面清掃の機能を保ちながら天井清掃にも用いることができる。【選択図】図３
2017064348.tif 000002
【特許請求の範囲】
【請求項１】
スポンジ付きモップにおいて、スポンジパッドの周縁部と着脱凹面を覆う滴下防止構造を設けること。
【請求項２】
請求項１に記載のスポンジ付きモップにおいて、滴下防止構造は、ベースプレートの保持板を周囲に延長し、該保持板から、スポンジパッドの周縁部に沿った壁部を立設することを特徴とするスポンジ付きモップ。
【請求項３】
請求項１に記載のスポンジ付きモップにおいて、滴下防止構造は、スポンジパッドとベースプレートとの間に、スポンジパッド側に着脱凸面、ベースプレート側に着脱凹面を有する底部と、該底部からスポンジパッドの周縁部に沿った壁部を立設した滴下防止プレートを設けたスポンジ付きモップ。
【請求項４】
請求項１に記載のスポンジ付きモップにおいて、滴下防止構造は、モップ柄又は、ベースプレートのボス部に挿通するラビリンスシールを有する軸受部とベースプレートの裏面に当接する底部と、該底部からスポンジパッドの周縁部に沿った壁部を立設した滴下防止プレートを設けたスポンジモップ。
【請求項５】
請求項２に記載のスポンジ付きモップにおいて、中空部材で形成されたモップ柄の一端側をベースプレートに貫入し、該モップ柄の多端側に尾栓を設け、かつ略平面であるスポンジパッドの清掃面に対し、スポンジパッドの周縁部からベースプレートとモップ柄との取り付け部にかけて徐々にスポンジパッドの厚みが増すように、スポンジパッドとベースプレートとの着脱面が形成されたスポンジ付きモップ。
【請求項６】
請求項２〜５に記載のスポンジ付きモップにおいて、スポンジパッドの周縁部に対し壁部は一定の空隙を有し、かつスポンジモップの周縁部厚みに対して、壁部の高さを低くしたスポンジ付きモップ。
【請求項７】
請求項２〜４に記載のスポンジ付きモップにおいて、ベースプレートの保持板又は滴下防止プレートの底部と壁部との交叉部の少なくとも一か所に、スポンジパッドに対し離間する方向に溝部が形成されたスポンジ付きモップ。
【請求項８】
請求項２〜５に記載のスポンジ付きモップにおいて、壁部の上端に固着しスポンジパッドの清掃面よりも高く形成した水切り板を少なくとも一か所に設けたスポンジ付きモップ。
【請求項９】
請求項２〜５に記載のスポンジ付きモップにおいて、スポンジパッド周縁部とベースプレート壁部、又はスポンジパッド周縁部と滴下防止プレート壁部との空隙部に、水切り板を少なくとも一か所設けたスポンジ付きモップ。
【発明の詳細な説明】
【技術分野】
【０００１】  本発明は清掃用モップに関するものである
【背景技術】
【０００２】  従来、スポンジ付きモップとしては、例えば特許文献１に記載されたものが知られている。
本製品は、モップ柄と連結されたベースプレートの着脱凸面にスポンジパッドの着脱凹面が着脱自在となるよう形成されスポンジパッドの劣化に伴う交換の容易性が図られている。
【先行技術文献】
【特許文献】
【０００３】
【特許文献１】  特開２００９−２４７４３８号公報
【発明の概要】
【発明が解決しようとする課題】
【０００４】  ところで、特許文献１では、スポンジパッドの周縁部を覆うものがないめ、天井清掃時等使用者より高い位置の清掃時に、洗剤や汚濁水が使用者に滴下し、衣服の汚れや使用者の健康被害を招くといった問題点があった。
本発明は、こうした実情に鑑みてなされたものであり、その目的は使用者より高い位置の清掃時においても洗剤や汚濁水が滴下しないスポンジモップを提供することにある。
【課題を解決するための手段】
【０００５】  上記の課題を解決するために、請求項１に記載の発明は、スポンジ付きモップにおいて、スポンジパッドの周縁部と着脱凹面を覆う滴下防止構造を設けることを要旨とする。【０００６】  同構成によれば、モップを頭上に高く掲げ清掃を行っても、スポンジパッドに浸透した洗剤や汚濁水は、滴下防止構造に遮られ、人体に落下しなくなる。【０００７】  請求項２に記載の発明は、請求項１に記載のスポンジ付きモップにおいて、滴下防止構造は、ベースプレートの保持板を周囲に延長し、該保持板から、スポンジパッドの周縁部に沿った壁部を立設することを要旨とする。【０００８】  同構成によれば、市販のスポンジ付きモップのベースプレートの形状を変更するのみで、従来の床面、壁面清掃の機能を保ちながら、天井清掃時の汚濁水の滴下防止が可能となる。【０００９】  請求項３に記載の発明は、請求項１に記載のスポンジ付きモップにおいて、滴下防止構造は、スポンジパッドとベースプレートとの間に、スポンジパッド側に着脱凸面、ベースプレート側に着脱凹面を有する底部と、該底部  からスポンジパッドの周縁部に沿った壁部を立設した滴下防止プレートを設けることを要旨とする。【００１０】  同構成によれば、市販のスポンジ付きモップのスポンジパッドとベースプレートとの着脱構造（商標名  マジックテープ等）を利用し、スポンジパッドとベースプレートとの間に、容易に滴下防止プレートが装着できる。  このため、市販品を変更せずを装着するのみで、汚濁水の滴下防止が可能となる。更に、床面、壁面性掃除には、不要な滴下防止プレートを外して使用できる。【００１１】  請求項４に記載の発明は、請求項１に記載のスポンジ付きモップにおいて、滴下防止構造は、モップ柄に挿通するラビリンスシールを有する軸受部とベースプレートの裏面に当接する底部と、該底部からスポンジパッドの周縁部に沿った壁部を立設した滴下防止プレートを設けたことを要旨とする。【００１２】  同構成によれば、滴下防止プレートの軸受部に軟質樹脂を用い、モップ柄の外径よりも小径のラビリンスシール構造とすることで市販のスポンジ付きモップに圧入し、ベースプレートの裏面に当接保持し、汚濁水のモップ柄からの漏れを防止できるものである。【００１３】  請求項５に記載の発明は、請求項２に記載のスポンジ付きモップにおいて、中空部材で形成されたモップ柄の一端側をベースプレートに貫入し、該モップ柄の他端側に尾栓を設け、かつ略平面であるスポンジパッドの清掃面に対し、スポンジパッドの周縁部からベースプレートとモップ柄との取り付け部にかけて徐々にスポンジパッドの厚みが増すように、スポンジパッドとベースプレートとの着脱面を形成することを要旨とする。【００１４】  同構成によれば、スポンジパッドの清掃面に対して、スポンジパッドとベースプレートとの着脱面をモップ柄取り付け部に向かう斜面に形成し、かつモップ柄が中空であることから、天井清掃時には、汚濁水は前記斜面からモップ柄の一端側を経由しモップ柄の内部に蓄積される。尾栓を抜くと容易に汚濁水の排水が可能となる。  汚濁水の蓄積容量を大きくすることが可能となり、長時間の天井清掃が可能となる。【００１５】  請求項６に記載の発明は、請求項２〜５に記載のスポンジ付きモップにおいて、スポンジパッド周縁部に対し壁部は一定の空隙を有し、かつスポンジモップ周縁部の厚みに対して、壁部の高さを低くすることを要旨とする。【００１６】  同構成によれば、空隙を設けることで汚濁水の蓄積容量を増加させ、又、スポンジパッドの清掃面に対し、壁部の高さを低くすることで、清掃時のモップパッドの撓みによる被清掃面と壁部との当接を防止できる効果がある。【００１７】  請求項７に記載の発明は、請求項２〜４に記載のスポンジ付きモップにおいて、ベースプレートの保持板又は滴下防止プレートの底部と壁部との交叉部の少なくとも一か所に、スポンジパッドに対し離間する方向に溝部を形成することを要旨とする。【００１８】  同構成によれば、汚濁水の蓄積容量を増加させる効果がある。【００１９】  請求項８に記載の発明は、請求項２〜５に記載のスポンジ付きモップにおいて、壁部の上端に固着しスポンジパッドの清掃面よりも高く形成した水切り板を少なくとも一か所に設けることを要旨とする。【００２０】  同構成によれば、スポンジ付きモップで被清掃面を洗うことと併せ、水切り板で汚濁水を被清掃面から拭き取ることを、一動作で実現可能とする効果がある。【００２１】  請求項９に記載の発明は、請求項２〜５に記載のスポンジ付きモップにおいて、スポンジパッド周縁部とベースプレート壁部、又はスポンジパット周縁部と滴下防止プレート壁部との空隙部に、水切り板を少なくとも一か所設けることを要旨とする。【００２２】  同構成によれば、水切り板をスポンジパッド周縁部とベースプレート又は、滴下防止プレートの壁部との間に配置することで、清掃時のスポンジ付きモップの往復動作においても、汚濁水を滴下防止プレート内に収容する効果がある。
【発明の効果】
【００２３】  本発明によれば、市販のスポンジモップの形状を一部変更するか、又は市販モップに着脱自在に１部品を追加することで、天井清掃時の汚濁水滴下を防止できる。
【図面の簡単な説明】
【００２４】
【図１】  第１の実施形態における斜視図
【図２】  第１の実施形態における平面図
【図３】  第１の実施形態におけるＡ−Ａ断面図
【図４】  第２の実施形態における分解斜視図
【図５】  第２の実施形態におけるＤ視斜視図
【図６】  第２の実施形態における平面図
【図７】  第２の実施形態におけるＣ−Ｃ断面図
【図８】  第２の実施形態におけるＢ−Ｂ断面図
【図９】  第３の実施形態における分解斜視図
【図１０】  第３の実施形態におけるＥ−Ｅ断面図
【図１１】  第３の実施形態におけるＦ部詳細図
【図１２】  第４の実施形態における平面図
【図１３】  第４の実施形態におけるＧ−Ｇ断面図
【図１４】  第２の実施形態における平面図
【図１５】  第２の実施形態におけるＩ−Ｉ断面図
【図１６】  スポンジパッド着脱構造の説明図
【発明を実施するための形態】
【００２５】（第１実施形態）
以下、本発明を具体化した第１実施形態を図１〜図３に従って説明する。
図１に示すように、スポンジモップ１は、モップ柄２、ベースプレート３、スポンジパッド４で構成される。ベースプレート３のボス部３ｅにモップ柄２が結合され、スポンジンパッド４はベースブプレート３と着脱自在に装着される。図１〜３に示すように、ベースブプレート３の保持板３ｄを拡幅し、該保持板３ｄから壁部３ｃをスポンジパッド４の周縁部４ｃに対して空隙Ｊを確保し、全周囲に立設する。  又、図３に示すように、壁部３ｃの高さは、スポンジパッド４の清掃面４ｃより低くする。ベースプレート３の着脱凸面３ａとスポンジパッド４の着脱凹面４ａは、公知の着脱構造（商標名  マジックテープ等）を用いている。      尚、着脱構造の説明図を図１６に示す
【００２６】したがって、本実施形態によれば、以下のような効果を得ることができる。
（１）壁部３ｃに遮られ、天井清掃時にスポンジパッド４に浸透する汚濁水は、下方に滴      下しなくなる。
（２）空隙Ｊを設けることで、汚濁水の蓄積容量を増やすことができ、汚濁水の排出頻度      を少なくすることも可能にできる。
（３）壁部３ｃの高さをスポンジパッド４の清掃面４ｂより低くすることで、清掃作業で      のスポンジパッド４の清掃面４ｂの撓みによる被清掃面と壁部３ｃとの当接回避に      も配慮できる。
（４）市販のスポンジ付きモップ１のベースプレート３の形状を変更するのみで、従来の      床面、壁面清掃の機能を保ちながら、天井清掃時の汚濁水滴下防止が可能となる。
【００２７】（第２実施形態）
次に、本発明を具体化した第２実施形態を図４〜８に従って説明する。
尚、第１実施形態と同様の構成については、同一の符号を付してその説明を省略する。
図４、図５に示すように、ベースプレート３とスポンジパッド４の間に、ベースプレート３側に着脱凹面５ｂ、スポンジパッド４側に着脱凸面５ａを有する底部５ｇと、該底部５ｇの全周に壁部５ｃを立設し構成された略箱形の滴下防止プレートを装着する。    すなわち、スポンジパッド４の着脱凹面４ａと着脱凸面５ａ、ベースプレート３の着脱凸面３ａと着脱凹面５ｂ共に、市販品と同一条件で着脱可能となる。ここで、滴下防止プレート５の壁部５ｃとスポンジパッド４との位置は、第１実施形態と同様に、スポンジパッド４の周縁部４ｃと壁部５ｃとの間に空隙Ｊを有し、清掃面４ｂに対し、壁部５ｃの高さは低く設定される。さらに、図４〜図６、図８に示すように、底部５ｇと壁部５ｃが交叉する２辺にスポンジパッド４から離間する方に、溝部５ｄ，５ｄ’を設ける。  又、図４、図５、図７に示すように、一辺の壁部５ｃの上部に水切り板５ｅを設ける。  水切り板５ｅは弾性変形しやすい軟質樹脂を用い、滴下防止プレート５本体と一体とした、２重樹脂成形とすることが望ましい。
【００２８】  したがって、本実施形態によれば、前記第１実施形態における上記（１）〜（４）に記載の効果に加えて、以下のような効果を得ることができる。
（５）市販のスポンジ付きモップ１のスポンジパッド４とベースプレート３との着脱構造      （商標名  マジックテープ等）を利用し、スポンジパッド４とベースプレート３と      の間に、容易に滴下防止プレート５が装着できる。このため、市販品を変更せず滴      下防止プレートを追加するのみで、汚濁水の滴下防止が可能となる。
（６）床面、壁面清掃時には、不要な滴下防止プレート５を外して使用できる。
（７）溝部５ｄ、５ｄ’を設けることにより、汚濁水の蓄積容量を増加させる効果がある      。
（８）スポンジ付きモップ１で被清掃面を洗うことと併せ、水切り板で汚濁水を被清掃面      から拭きとることを、一動作で実現可能とする効果がある。  結果、拭き残し無く      快適に作業することが出来る。
尚、本発明の実施形態は、以下のように変更してもよい。
図１４、図１５に示すように、滴下防止プレート５の底部５ｇの壁部５ｃと、スポンジパッド４の周縁部４ｃとの間に、水切り棚５ｆを設定し、該水切り棚５ｆの上部に水切り板５ｅ’を設ける。  水切り板５ｅ’は、上記と同様の素材、加工方法を用いることが望ましい。  この実施形態を用いることで、さらに、清掃時のスポンジ付きモップの往復動作においても、汚濁水を滴下防止プレート５の中に収容出来る効果がある。
【００２９】（第３実施形態）
次に本発明を具体化した第３実施形態を図９〜１１に従って説明する尚、第１実施形態と同様の構成については、同一の符号を付してその説明を省略する。
図９に示すように、底部６ａに軸受部６ｂを設け、該底部６ａ全周に立設し構成される略箱型の滴下防止プレート６を、モップ柄２に挿入し、ベースプレート裏面３ｂに当接させ装着する。さらに、図１０、図１１に示すように、軸受け部６ｂは、内部にラビリンスシール部６ｄを有し、弾性変形しやすい軟質樹脂を用いることで、モップ柄２に圧入し、汚濁水の漏れを防ぐとともに、装着位置の保持を可能とする。ラビリンスシール部６ｄにおける突起６ｅの方向は、スポンジパッド４の清掃面４ｂと平行となるよう設けることが、滴下防止効果を一層高める上で望ましい。  もちろん、公知の螺旋状や軸に直交する方向に設定しても防止効果は発揮できる。前述したように、軸受部６ｂは弾性変形しやすい軟質樹脂を用い、滴下防止プレート６本体と一体とした、２重樹脂成形とすることが望ましい。
【００３０】  したがって、本実施形態によれば、前記第１実施形態、第２実施形態における上記（１）〜（８）に記載の効果に加えて、以下のような効果を得ることができる。
（９）ラビリンスシール構造を用い、市販のモップ柄２に圧入、着脱できることから、使      用者の交換作業が一層簡便にできる。
【００３１】（第４実施形態）
次に、本発明を具体化した第４実施形態を図１２、図１３に従って説明する。  尚、第１実施形態と同様の構成については、同一の符号を付してその説明を省略する。
図１２、図１３に示すように、モップ柄２を中空断面とし、ベースプレート３の保持板３ｄにベースプレート３のボス部３ｅに一端側２ｂを貫入する。  ベースプレート３とスポンジパッド４との着脱面は、スポンジパッド４の清掃面４ｂに対して、スポンジパッド４の厚みがモップ柄２の貫入位置に向かって徐々に増加するように、つまりモップ柄２の貫入位置を底とした傾斜面を形成する。これにより、スポンジパッド４に浸透した汚濁水は、モップ柄２の一端側２ｂを経由し内部に収容される。さらに、モップ柄２の多端側２ｃには尾栓７が装着されているため、清掃作業中はモップ柄２の中に汚濁水は蓄積される。  作業後、尾栓７を抜くと、汚濁水は容易に排出できる。
本実施形態では、尾栓７は、モップ柄２に圧入しているが、ねじ止めや、他の保持構造を用いることも可能である。  又、ベースプレート３の保持板３ｄから壁部３ｃを全周に立設することは、上記実施例と同様である。
【００３２】  したがって、本実施形態によれば、前記第１実施形態〜第３実施形態における上記（１）〜（９）に記載の効果に加えて、以下のような効果を得ることができる。
（１０）汚濁水の質量はモップ柄２の多端側２ｃに蓄積されることから、重心位置が下が        り、清掃作業者の疲労度が少なくなる。
（１１）汚濁水の蓄積容量を大きくすることが可能となり、長時間の天井清掃が可能とな        る。
【符号の説明】
【００３３】１…スポンジ付きモップ、２…モップ柄、２ｂ…一端側、２ｃ…多端側、３…ベースプレート、３ａ…着脱凸面、３ｂ…裏面、３ｃ…壁部、３ｄ…保持板、３ｅ…ボス部  ４…スポンジパッド、４ａ…着脱凹面、４ｂ…清掃面、４ｃ…周縁部  ５…滴下防止プレート、５ａ…着脱凸面、５ｂ…着脱凹面、５ｃ…壁部、５ｄ（ｄ’）…溝部  ５ｅ、５ｅ’…水切り板、５ｆ…水切り棚、５ｇ…底部  ６…滴下防止プレート、６ａ…底部、６ｂ…軸受部、６ｃ…壁部、６ｄ…ラビリンスシール部  ７…尾栓  Ｊ…空隙
【図１】
2017064348.tif 000003
【図２】
2017064348.tif 000004
【図３】
2017064348.tif 000005
【図４】
2017064348.tif 000006
【図５】
2017064348.tif 000007
【図６】
2017064348.tif 000008
【図７】
2017064348.tif 000009
【図８】
2017064348.tif 000010
【図９】
2017064348.tif 000011
【図１０】
2017064348.tif 000012
【図１１】
2017064348.tif 000013
【図１２】
2017064348.tif 000014
【図１３】
2017064348.tif 000015
【図１４】
2017064348.tif 000016
【図１５】
2017064348.tif 000017
【図１６】
2017064348.tif 000018